(57)【要約】【課題】レール保持固定による安定性があり、スパーク等が生じず、庫内での清掃性の改善が可能なレール構成を有する高周波加熱装置を提供する。【解決手段】加熱室１１の両側面の所望位置に開口穴２０を手前と奥の水平位置に設け、開口穴２０に棒状で直線のレール１４を形成し、ネジ加工した先端部分を差込み、ワッシャー１２とナット１３で締め付け固定させる。【選択図】図１
2007024483.tif 000002
【特許請求の範囲】
【請求項１】
被加熱物を収納して加熱する加熱室と、加熱室の左右側壁に棒状で庫内手前から奥側に水平状態で庫内側に迫り出したレールを左右同一高さで複数段配し、その左右レールの上部へ乗せて出し入れできるように棒状のスノコ網を構成してなる高周波加熱装置。
【請求項２】
前記左右レールは庫内側壁の手前と奥側でＵ字上に曲げて先端側にネジを構成し、側壁側に設けた開口穴に差込、庫外側よりワッシャーとナットにより固定するようにしたレール構成とスノコ網の出し入れの位置決めにレールの上部にガイドレールピンを構成してなる請求項１記載の高周波加熱装置。
【請求項３】
前記左右レールに沿って入れるスノコ網はレールに沿う左右両端の網棒の少なくとも前後２箇所に、スノコ網の網棒とレールが接触せず、且つ加熱室側壁にも接触しないように樹脂やセラミック等の非金属物のスノコ網ホルダーを介在固定してなるスノコ網を構成してなる請求項１記載の高周波加熱装置。
【請求項４】
被加熱物を収納して加熱する加熱室と、前記加熱室の左右側壁に設けたレールと、前記レールの上部の加熱室側壁に設けたガイドレールピンと、前記レールの上部へ乗せて出し入れできるように構成された棒状のスノコ網とを有し、前記スノコ網の左右両端の網棒の後部に凸状部を有し、スノコ網を手前に途中まで引き出した際に前記凸状部がガイドレールピンに係合してスノコ網の傾斜を抑制することを特徴とする高周波加熱装置。
【請求項５】
凸状部は、スノコ網の両端の網棒で形成したことを特徴とする請求項４に記載の高周波加熱装置。
【発明の詳細な説明】
【技術分野】
【０００１】
本発明は、高周波加熱装置の庫内に装着されるスノコ網とそのスノコ網を保持するレール構成に関するものである。
【背景技術】
【０００２】
従来、この種の高周波加熱装置のレール構成としては庫内加熱室の側面にセラミックや樹脂材料を使用してレールを構成しているものが知られている。
【０００３】
図６は高周波加熱装置１のドア２を開けた状態で加熱室３の左側面側が見える状態を示すもので、加熱室３の左側面にセラミックで２段のレール４を構成し、各々のレール４の上部にスノコ網を水平に入れるためのガイドレール５も形成されている。このセラミックのレール４は２箇所に保持穴６を形成し、加熱室３側の側壁に設けたレール保持ピン７に引っ掛けて固定している。前記レール保持ピン７は２箇所に配し、庫外側よりワッシャーとナットで固定されている。そして、このレール４と上部に配したガイドレール５の間に網棒で構成されたスノコ網８が挿入され、このスノコ網８の上面に被加熱物が乗せられ調理されるものである（例えば、特許文献１参照）。
【０００４】
また、図示していないが加熱室３の側壁に直接絞り状のレール４を形成し、その金属面のレール４に直接スノコ網８を挿入できるようにした庫内のレール構成もある（例えば、特許文献２参照）。
【特許文献１】特開平７−１１３５２６号公報
【特許文献２】特開昭６３−１７６９２７号公報
【発明の開示】
【発明が解決しようとする課題】
【０００５】
しかしながら、図６に示す従来の高周波加熱装置では、セラミックでレールを構成し、レール保持ピンに引っ掛けて保持するためにレールは完全に固定されず、保持ピンとセラミックの厚みのバラツキによる横方向のガタや保持穴６とレール保持ピン７のガタが生じるためレールの出し入れ時に入れにくい、出しにくいという使い勝手の悪さがあるのと、セラミックのレールが前記のようにガタがあるため、加熱室３の側壁とレールの取り付け裏側にも調理時の油分や炭化物が溜まり、高周波調理時に電界がその添加物に集中し、スパークを起こし、レール破壊されることも生じる。
【０００６】
また、それらの汚れ防止のためセラミックを外して清掃をする必要もあった。また、前記ガタがあるため、スノコ網とレールの受け部の迫出しを大きくしないとスノコ網がレール４から外れる恐れがあるため、セラミックのレール厚みを増やす必要が生じるため、スノコ網の許容スペースが小さくなり大きな調理物が調理し難くなり、被加熱物以外の熱容量が増加してしまい調理速度を遅くする等の不具合が生じた。
【０００７】
また、加熱室３の側壁に直接レールを絞り構成にした場合には、スノコ網を使用しての調理は電波調理ではスノコ網とレールとの金属間でのスパークが生じスノコ網８が破壊されるためヒーター調理等の限定された調理専用でのスノコ網使用になり、使い勝手の悪い構成であった。
【０００８】
本発明は、前記従来の課題を解決するもので、加熱室庫内のレール構成を簡略化しレール保持固定による安定性と、スパーク等が生じないようにし、庫内での清掃性の改善と調理スピードの効率向上と被加熱物の調理スペース拡大化等の優れた高周波加熱装置を提供
することを目的とする。
【課題を解決するための手段】
【０００９】
前記従来の課題を解決するために、本発明の高周波加熱装置は、加熱室の庫内左右側壁に棒状の金属材料よりなるレールを複数形成し、スノコ網の左右両端面の前後に樹脂やセラミック材料よりなる非金属物のスノコ網ホルダーを介在させた状態でスノコ網を庫内の所望の高さに装着することにより、金属接触によるスパークを解消すると共に、スノコ網に装着固定した前記に非金属物のスノコ網ホルダーは加熱室側壁に対し微小クリアランスで装着が可能となり、ガタも生じずスノコ網が外れる事態も解消でき加熱室ぎりぎりまでの使用面積で被加熱物を乗せられるというフル活用も可能になる。
【００１０】
また、シンプルなレール構成のため、油汚れの拭き取りもスムースで油分や炭化物の蓄積も解消でき、更に、電界集中によるスパーク等も防御できるなど、ヒーター調理も電波調理も同じスノコ網を使用して調理ができる庫内レール構成とすることができる。
【発明の効果】
【００１１】
本発明の高周波加熱装置は、完全に固定されたレール上でスノコ網の挿入、取り出しが出来るためガタが無く使い勝手がよくなる。また、金属接触を無くしたためと、簡単な棒状のレールにより清掃性の向上が図られ油分や炭化物の堆積も無くなり、電波加熱時のスパークを防止できる。また、棒状のレールは熱容量も負荷も小さいため電波吸収が少なく被加熱物への電波供給により調理スピードの向上化が得られる等、簡素なレール構成とスノコ網構成により優れた効果を得ることができる。
【発明を実施するための最良の形態】
【００１２】
第１の発明は、被加熱物を収納して加熱する加熱室と、加熱室の左右側壁に棒状で庫内手前から奥側に水平状態で庫内側に迫り出したレールを左右同一高さで複数段配し、その左右レールの上部へ乗せて出し入れできるように棒状のスノコ網を構成したもので、完全に固定されたレール上でスノコ網の挿入、取り出しが出来るためガタが無く使い勝手がよくなる。
【００１３】
第２の発明は  特に、第１に記載の左右レールは庫内側壁の手前と奥側でＵ字上に曲げて先端側にネジを構成し、加熱室側壁に設けた開口穴に差込、庫外側よりワッシャーとナットにより固定するようにしたレール構成としたもので、簡単な棒状のレールにより清掃性の向上が図られ油分や炭化物の堆積も無くすことができる。
【００１４】
第３の発明は  前記左右レールに沿って入れるスノコ網はレールに沿う左右両端の網棒の少なくとも前後２箇所に、スノコ網の網棒とレールが接触せず、且つ加熱室側壁にも接触しないように樹脂やセラミック等の非金属物のスノコ網ホルダーを介在固定してなるスノコ網を構成としたもので、金属接触を無く、電波加熱時のスパークを防止できる。
【００１５】
第４の発明は、被加熱物を収納して加熱する加熱室と、前記加熱室の左右側壁に設けたレールと、前記レールの上部の加熱室側壁に設けたガイドレールピンと、前記レールの上部へ乗せて出し入れできるように構成された棒状のスノコ網とを有し、前記スノコ網の左右両端の網棒の後部に凸状部を有し、スノコ網を手前に途中まで引き出した際に前記凸状部がガイドレールピンに係合してスノコ網の傾斜を抑制することを特徴とするもので、スノコ網を手前に引き出してもスノコ網が傾斜することがなく安定するので、スノコ網に載せた被加熱物がころげ落ちるといった不具合を防止できる。
【００１６】
第５の発明は、特に第４の発明の凸状部を、スノコ網の両端の網棒で形成したことを特徴とするもので、両端の網棒の一部を曲げ加工することで特に別部品を追加することがな
くコストを抑えることができる。  以下、本発明の実施の形態について、図面を参照しながら説明する。なお、この実施の形態によって本発明が限定されるものではない。
【００１７】
（実施の形態１）
以下本発明の実施例について、図１〜５を参照しながら説明する。
【００１８】
図１は、本発明の実施の形態における高周波加熱装置のドアを開口したときの加熱室の図を示すものである。
【００１９】
図２は、図１の加熱室にスノコ網を装着した状態の図を示すものである。
【００２０】
図３は、加熱室の右側面側を断面にしスノコ網が装着された構成図を示すものである。
【００２１】
図４は、スノコ網の右後側面図を含めた全体構成図を示すものである。
【００２２】
図５は、加熱室の左庫外側でレールの固定状態の図を示すものである。
【００２３】
以上のように構成された高周波加熱装置のレールとスノコ網構成について、以下にその動作、作用を説明する。
【００２４】
まず、高周波加熱装置１０のオーブンを形成する加熱室１１の両側面の所望位置に開口穴２０を手前と奥の水平位置に設ける。この開口穴２０に棒状で直線のレール１４を形成し両端面を曲げて先端にネジを加工している部分を差込む。
【００２５】
次に、レール１４の庫外側に出たネジ部はワッシャー１２とナット１３で締め付け固定させる。また、前記加熱室１１の両側面に固定されたレール１４の各々の上部で手前側のドアに近い部分にピン形状のガイドレールピン１９をレール１４と同様に端面にネジを加工し、庫外側でワッシャーとナットで固定させる（図省略）。
【００２６】
また、被加熱物を載せる面には複数の棒にて網を構成し周囲を加熱室１１の４辺に相似形で若干小さめの大きさの棒状材料で形成したスノコ網１５を構成している。このスノコ網１５には左右側面の前後コーナー付近に丸棒を覆う形でセラミックや樹脂材料等の非金属材料よりなるスノコ網ホルダー１６を装着し、カヌークリップ１７にて固定している。このカヌークリップ１７はビスとナット等固定できるもので代用もできる。前記スノコ網ホルダー１６はスノコ網１５の外周よりもやや大きめで出っ張る形状に確保している。
【００２７】
なお、本実施の形態では、レールは上下の２段としたが、両側面のレールは被加熱物の大きさや、ヒーター加熱時の焦げ目効果等の調理性能を考慮し、高さ調節を選べるように複数のレール構成にすることも可能である。
【００２８】
また、このスノコ網１５の両サイドで使用時ドアの手前側付近に上部方向の突起部を形成させたストッパー１８を構成させる。前記レール１４とその上部に設けたガイドレールピン１９との隙間は棒状のスノコ網１５が挿入でき、ガタが生じない程度の空間を有しているように構成している。
【００２９】
次に動作について説明すると、まずスノコ網１５をレール１４に沿って挿入し押し込んだ時、スノコ網１５のストッパー１８がガイドレールピン１９に当たり、位置決めが可能な押し込み位置で止まる。また、調理終了後、スノコ網１５を引き出し、調理物を反転させる時や取り出すときにスノコ網をおよそ前後長の２／３まで引き出してもガイドレールピン１９があるため、ほぼ水平状態を維持することが可能である。このレール１４とガイ
ドレールピン１９は挿入可能でガタのない空間の距離を保持していることで水平状態を確保できるものである。
【００３０】
このようにレール１４はナット１３とワッシャー１２で確実に加熱室１１に固定され、且つスノコ網１５も４方に介在させたスノコ網ホルダー１６で過熱室の側壁に少ない隙間を確保しながらレールとスノコ網の金属接触が無い状態で出し入れが可能になるため、ガタも少なく非常にスムースな前後方向の出し入れが達成でき、スパークの発生をなくすことができる。
【００３１】
また、棒状のレール１４だけが加熱室内に臨んでいるだけのため油汚れや炭化物も簡単に掃除で拭き取りが可能となり、炭化した付着物でスパークすることが従来品よりもはるかに改善できるものである。
【００３２】
また、棒状のレール１４にすることで従来のセラミックや樹脂のレールに比べて熱容量も少なく、電波吸収量も少ない事から、被加熱物に集中的に電波が供給されることで調理スピードの改善にも効果がある。
【００３３】
更に、従来品に比べレール１４を構成する厚みが非常に小さいため、スノコ網１５は加熱室１１の平面にほぼ近い大きさを確保でき、被加熱物の大きな調理も可能になる。
【００３４】
また、スノコ網ホルダー１６でスノコ網１５とレール１４を絶縁させることで金属間の接触が無くなり電波調理時のスパークの発生がなくなることから、ヒーターと電波の同時加熱や交互加熱等も可能になり、幅広い調理が可能で効率のよい、使い勝手のよい高周波加熱装置を提供できるものである。
【００３５】
（実施の形態２）
図７は本実施の形態２のスノコ網を示す平面図及び側面図、図８はスノコ網を加熱室のレールに乗せて出し入れする際の状態を示す側面概略図である。
【００３６】
図７に示すように、スノコ網２１の後部には、上向きに凸状部２２が設けてある。この凸状部２２は、スノコ網２１の両端の網棒２１ａの曲げ加工で形成している。なお、手前に設けてあるストッパー２３は、スノコ網２１を加熱室１１に押し込む際の位置決めとなっている。そして図８（ａ）に示すようにスノコ網を挿入した際は、ストッパー２３が加熱室１１の側壁に設けたガイドレールピン１９に当接することでスノコ網２１は適切な押し込み位置で止まる。次に、図８（ｂ）に示すように、スノコ網２１を手前に引いた際には、凸状部２２がガイドレールピン１９に係合するように構成しているので、網棒２１ａとレール１４の接触部Ａと凸状部２２とガイドレールピン１９との接触部Ｂとでスノコ網が支えられる状態となる。従って、スノコ網２１の傾斜が抑制され、略水平状態となるので、スノコ網２１に乗せた被加熱物が滑り落ちるようなことが無く、スノコ網２１を引き出した状態で、被加熱物をスノコ網２１に乗せたり、或いは調理が終わった被加熱物を取り出したりすることでできる。
【００３７】
なお、スノコ網２１の両端の網棒２１ａはストッパー２３と凸状部２２の間が低く形成されているので、出し入れの際に網棒２１ａがガイドレールピン１９に接することが無く、スムーズな出し入れが可能となっている。
【００３８】
以上のように、本実施例においては棒状の固定化されたレールとスノコ網の４辺に金属接触をなくすスノコ網ホルダーを装着した簡素化されたスノコ網との引き出し構成としたことで、スノコ網とレール間でのスパークを防止し、ヒーターや電波の組合せ調理が可能になると共に、被加熱物の調理時間の短縮化による調理性能の向上とレールの清掃性の向
上と、レール固定化でガタが少なくスノコ網の出し入れがやり易く使い勝手の向上が図れるものである。
【産業上の利用可能性】
【００３９】
以上のように、本発明にかかる高周波加熱装置は、業務用等の非常に頻繁に調理物を出し入れし、且つヒーター加熱や電波加熱が同時や交互に利用される調理モードにも対応でき、清掃性の向上と使い勝手の向上が可能となる。
【図面の簡単な説明】
【００４０】
【図１】本発明の実施の形態１における高周波加熱装置の概略構成図
【図２】本発明の実施の形態１における高周波加熱装置のスノコ網挿入図
【図３】本発明の実施の形態１における高周波加熱装置の側面断面図
【図４】本発明の実施の形態１におけるスノコ網の概略構成図
【図５】本発明の実施の形態１における高周波加熱装置の庫外側部分概略図
【図６】従来の高周波加熱装置の側面図
【図７】本発明の実施の形態２におけるスノコ網の概略構成図
【図８】（ａ）本発明の実施の形態２におけるスノコ網を挿入した時の状態図（ｂ）本発明の実施の形態２におけるスノコ網を引き出した時の状態図
【符号の説明】
【００４１】
１１  加熱室
１２  ワッシャー
１３  ナット
１４  レール
１５、２１  スノコ網
１６  スノコ網ホルダー
１９  ガイドレールピン
２０  開口穴
２１ａ  網棒
２２  凸状部
【図１】
2007024483.tif 000003
【図２】
2007024483.tif 000004
【図３】
2007024483.tif 000005
【図４】
2007024483.tif 000006
【図５】
2007024483.tif 000007
【図６】
2007024483.tif 000008
【図７】
2007024483.tif 000009
【図８】
2007024483.tif 000010